(57)【要約】【課題】より高い精度で画像を読み取る画像読取装置、及び紙葉類処理装置を提供する。【解決手段】一実施形態に係る画像読取装置は、紙葉類に光を照射する照明と、前記照明と前記紙葉類を挟んで対向する側に設けられ、光を受光し、受光した光を複数の光に分光する分光部材と、前記分光部材により分光された複数の光をそれぞれ受光し、受光した光に応じて信号をそれぞれ生成する複数のセンサと、前記複数のセンサにより生成された複数の信号を加算する加算手段と、前記加算手段により加算された信号に基づいて画像を生成する画像生成手段と、を具備する。【選択図】図２
2013197689.tif 000002
【特許請求の範囲】
【請求項１】
紙葉類に光を照射する照明部と、
前記照明部と前記紙葉類を挟んで対向する側に設けられ、光を受光し、受光した光を複数の光に分光する分光部材と、
前記分光部材により分光された複数の光をそれぞれ受光し、受光した光に応じて信号をそれぞれ生成する複数のセンサと、
前記複数のセンサにより生成された複数の信号を加算する加算手段と、
前記加算手段により加算された信号に基づいて画像を生成する画像生成手段と、
を具備する画像読取装置。
【請求項２】
前記分光部材は、受光した光を異なる波長を有する複数の光に分光するプリズムを有し、
前記複数のセンサは、前記プリズムにより分光された異なる波長の光に応じてそれぞれ信号を生成する、
請求項１に記載の画像読取装置。
【請求項３】
前記プリズムは、受光した光を赤色と緑色と青色の光に分光し、
前記複数のセンサは、前記赤色の光に応じて赤色信号を生成し、前記緑色の光に応じて緑色信号を生成し、前記青色の光に応じて青色信号を生成し、
前記加算手段は、前記赤色信号と前記緑色信号と前記青色信号とを加算し、
前記画像生成手段は、前記加算手段により加算された信号に基づいて画像を生成する、
請求項２に記載の画像読取装置。
【請求項４】
前記複数のセンサから出力された信号をそれぞれ増幅する複数の増幅器と、
前記複数の増幅器の増幅率を個別に制御するゲイン制御手段と、
をさらに具備する請求項１乃至３のいずれか１項に記載の画像読取装置。
【請求項５】
前記分光部材は、受光した光を反射光と透過光とに分光するハーフミラーを有する、請求項１乃至４のいずれか１項に記載の画像読取装置。
【請求項６】
前記分光部材は、搬送されている前記紙葉類を透過した光を受光し、
前記複数のセンサは、フォトダイオードがライン状に配列されたフォトダイオードアレイにより信号を生成する、
請求項１乃至５のいずれか１項に記載の画像読取装置。
【請求項７】
紙葉類を搬送する搬送部と、
前記搬送部により搬送されている前記紙葉類に光を照射する照明と、
前記照明と前記紙葉類を挟んで対向する側に設けられ、光を受光し、受光した光を複数の光に分光する分光部材と、
前記分光部材により分光された複数の光をそれぞれ受光し、受光した光に応じて信号をそれぞれ生成する複数のセンサと、
前記複数のセンサにより生成された複数の信号を加算する加算手段と、
前記加算手段により加算された信号に基づいて画像を生成する画像生成手段と、
前記画像生成手段により生成された前記画像と、予め設定されたパラメータとに基づいて、紙葉類を識別する識別手段と、
前記識別手段の識別結果に基づいて、前記紙葉類を区分する区分処理部と、
を具備する紙葉類処理装置。
【発明の詳細な説明】
【技術分野】
【０００１】
本発明の実施形態は、画像読取装置、及び紙葉類処理装置に関する。
【背景技術】
【０００２】
従来、種々の紙葉類の検査を行う紙葉類処理装置が実用化されている。紙葉類処理装置は、紙葉類の画像を読み取る画像読取装置を有する。紙葉類処理装置は、投入部に投入された紙葉類を１枚ずつ取り込み、画像読取装置に搬送する。
【０００３】
画像読取装置は、搬送される紙葉類から、紙葉類の光学的な特徴（特徴量）を検出する。紙葉類処理装置は、予め設定された種々のパラメータと、検出された特徴量との比較を行うことにより、紙葉類を識別する。
【０００４】
例えば、画像読取装置は、紙葉類を透過した透過光を検出し、紙葉類の画像を取得する。この場合、画像読取装置は、照明と、紙葉類の搬送路を挟んで照明と対向する位置に設けられたカメラとを備える。
【先行技術文献】
【特許文献】
【０００５】
【特許文献１】特開２００２−７４４４９号公報
【発明の概要】
【発明が解決しようとする課題】
【０００６】
上記したような構成では、カメラの読み取り範囲内での紙葉類の有無により、照明から放射された光がカメラに直接入射する場合がある。カメラのセンサは、画素に入射した光の強度に応じて電荷を溜め、信号を生成する。しかし、強い光がセンサの画素に入射した場合、センサの他の画素に電荷が漏れ出すブルーミングが生じる可能性がある。しかし、紙葉類の透過光を検出する画像読取装置では、光が紙葉類を透過する必要がある為、照明の光量を落とすことができない。この為、従来の画像読取装置は、このような電荷の漏れの為に、正確な画像を取得することが出来ない場合あるという課題がある。
【０００７】
そこで、より高い精度で画像を読み取る画像読取装置、及び紙葉類処理装置を提供することを目的とする。
【課題を解決するための手段】
【０００８】
一実施形態に係る画像読取装置は、紙葉類に光を照射する照明と、前記照明と前記紙葉類を挟んで対向する側に設けられ、光を受光し、受光した光を複数の光に分光する分光部材と、前記分光部材により分光された複数の光をそれぞれ受光し、受光した光に応じて信号をそれぞれ生成する複数のセンサと、前記複数のセンサにより生成された複数の信号を加算する加算手段と、前記加算手段により加算された信号に基づいて画像を生成する画像生成手段と、を具備する。
【図面の簡単な説明】
【０００９】
【図１】図１は、一実施形態に係る紙葉類処理装置について説明するための図である。
【図２】図２は、一実施形態に係る画像読取装置について説明するための図である。
【図３】図３は、一実施形態に係る画像読取装置について説明するための図である。
【図４】図４は、一実施形態に係る画像読取装置について説明するための図である。
【図５】図５は、一実施形態に係る画像読取装置について説明するための図である。
【図６】図６は、一実施形態に係る画像読取装置について説明するための図である。
【図７】図７は、一実施形態に係る画像読取装置について説明するための図である。
【発明を実施するための形態】
【００１０】
以下、図面を参照しながら、一実施形態に係る画像読取装置、及び紙葉類処理装置について詳細に説明する。
【００１１】
図１は、一実施形態に係る紙葉類処理装置１００の構成例を示す。  
紙葉類処理装置１００は、画像検出装置、及び画像読取装置による検出結果に基づいて、紙葉類１の券種（ｄｅｎｏｍｉｎａｔｉｏｎ）及び世代（ｇｅｎｅｒａｔｉｏｎ）などのカテゴリ（ｃａｔｅｇｏｒｙ）、紙葉類１の真偽（ａｕｔｈｅｎｔｉｃａｔｉｏｎ）、並びに、紙葉類１の正損（ｆｉｔｎｅｓｓ）などを識別することができる。
【００１２】
紙葉類処理装置１００は、供給部１０、分離ローラ１１、搬送系１２、第１のゲート１３、第１のスタッカ１４、第２のゲート１５、第２のスタッカ１６、画像読取部２０、制御部４０、バッファメモリ５０、辞書記憶部６０、操作部７０、表示部８０、及び入出力部９０を備える。また、紙葉類処理装置１００は、第２のゲート１５の後段に図示しない裁断部を備える。
【００１３】
制御部４０は、紙葉類処理装置１００の各部の動作を統合的に制御する。制御部４０は、ＣＰＵ、ランダムアクセスメモリ、プログラムメモリ、及び不揮発性メモリなどを備える。ＣＰＵは、種々の演算処理を行う。ランダムアクセスメモリは、ＣＰＵにより行われる演算の結果を一時的に記憶する。プログラムメモリ及び不揮発性メモリは、ＣＰＵが実行する種々のプログラム及び制御データなどを記憶する。制御部４０は、ＣＰＵによりプログラムメモリに記憶されているプログラムを実行することにより、種々の処理を行うことができる。
【００１４】
供給部１０は、紙葉類処理装置１００に取り込む紙葉類１をストックする。供給部１０は、重ねられた状態の紙葉類１をまとめて受け入れる。
【００１５】
分離ローラ１１は、供給部１０の下端に設置される。供給部１０に紙葉類１が投入される場合、投入された紙葉類１の集積方向の下端に接する。分離ローラ１１は、回転することにより、供給部１０にセットされる紙葉類１を集積方向の下端から１枚ずつ紙葉類処理装置１００の内部に取り込む。
【００１６】
分離ローラ１１は、たとえば、１回転するごとに１枚の紙葉類１を取り込むように機能する。これにより、分離ローラ１１は、紙葉類１を一定のピッチで取り込む。分離ローラ１１により取り込まれた紙葉類１は、搬送系１２に導入される。
【００１７】
搬送系１２は、紙葉類１を紙葉類処理装置１００内の各部に搬送する搬送部である。搬送系１２は、図示しない搬送ベルト及び図示しない駆動プーリなどを備える。搬送系１２は、図示しない駆動モータにより駆動プーリを駆動する。搬送ベルトは、駆動プーリにより動作する。
【００１８】
搬送系１２は、分離ローラ１１により取り込む紙葉類１を搬送ベルトにより一定速度で搬送する。なお、搬送系１２において分離ローラ１１に近い側を上流側、逆側を下流側として説明する。
【００１９】
画像読取部２０は、搬送系１２により搬送される紙葉類１から画像を取得する。画像読取部２０は、例えば、カメラ、照明、信号処理部、及び判定部を備える。カメラと照明とは、互いに搬送系１２を挟んで対向する位置に配置される。カメラは、例えば、Ｃｈａｒｇｅ  Ｃｏｕｐｌｅｄ  Ｄｅｖｉｃｅ（ＣＣＤ）またはＣＭＯＳなどのラインイメージセンサを備える。カメラは、紙葉類１を透過した透過光を検出する。これにより、画像読取部２０は、搬送系１２により搬送される紙葉類１の画像（透過画像）を読み取る。
【００２０】
制御部４０は、画像読取部２０により取得された画像に応じて特徴量を算出する。制御部４０は、算出した特徴量に基づいて、紙葉類１の真偽を識別する。即ち、制御部４０は、紙葉類１が真券(ｇｅｎｕｉｎｅ)であるか、偽券(ｃｏｕｎｔｅｒｆｅｉｔ)であるか識別する。
【００２１】
また、制御部４０は、算出した特徴量に基づいて、紙葉類１の券種及び世代などのカテゴリを識別する。
【００２２】
さらに、制御部４０は、算出した特徴量に基づいて、紙葉類１の正損を識別する。即ち、制御部４０は、紙葉類１が再流通（ｒｅｃｉｒｃｕｌａｔｉｏｎ）可能な正券（ｆｉｔ  ｓｈｅｅｔ）であるか、再流通不可能な損券（ｕｎｆｉｔ  ｓｈｅｅｔ）であるかを識別する。
【００２３】
第１のゲート１３及び第２のゲート１５は、搬送系１２の画像読取部２０より下流に設けられる。第１のゲート１３及び第２のゲート１５は、それぞれ制御部４０の制御に基づいて動作する。制御部４０は、紙葉類１に対する各種の識別の結果に応じて第１のゲート１３及び第２のゲート１５を制御する。
【００２４】
第１のゲート１３は、紙葉類１の搬送先を第１のスタッカ１４と第２のゲート１５とで切り替える。また、第２のゲート１５は、紙葉類１の搬送先を第２のスタッカ１６と裁断部とで切り替える。
【００２５】
制御部４０は、正券と判定した紙葉類１を第１のスタッカ１４または第２のスタッカ１６に搬送するように、第１のゲート１３及び第２のゲート１５を制御する。即ち、制御部４０は、正券を種類毎に区分けして集積するように各部を制御する。
【００２６】
また、制御部４０は、損券と判定した紙葉類１を第２のゲート１５の後段に設けられる裁断部に搬送するように、第１のゲート１３及び第２のゲート１５を制御する。即ち、制御部４０は、損券と判定した紙葉類１を裁断部に搬送し、裁断部により裁断するように各部を制御する。
【００２７】
バッファメモリ５０は、種々の処理結果を記憶する。例えば、バッファメモリ５０は、画像読取部２０により取得された入力画像を記憶する。また、バッファメモリ５０は、制御部４０により算出された特徴量などを記憶する。なお、バッファメモリ５０は、制御部４０が備えるランダムアクセスメモリまたは不揮発性メモリなどにより代用されてもよい。
【００２８】
辞書記憶部６０は、上記の識別処理に用いられる種々のパラメータを記憶する。辞書記憶部６０は、例えば、紙葉類のカテゴリ毎にパラメータを予め記憶する。制御部４０は、辞書記憶部６０により記憶されているパラメータと、上記の特徴量とに基づいて識別処理を行う。これにより、制御部４０は、紙葉類のカテゴリ、真偽、及び正損を識別することができる。
【００２９】
操作部７０は、オペレータによる各種操作入力を操作部により受け付ける。操作部７０は、オペレータにより入力される操作に基づいて操作信号を生成し、生成した操作信号を制御部４０に伝送する。表示部８０は、制御部４０の制御に基づいて種々の画面を表示する。例えば、表示部８０は、オペレータに対して各種の操作案内、及び処理結果などを表示する。なお、操作部７０と表示部８０とは、タッチパネルとして一体に形成されていてもよい。
【００３０】
入出力部９０は、紙葉類処理装置１００に接続される外部機器、または記憶媒体とデータの送受信を行う。例えば、入出力部９０は、ディスクドライブ、ＵＳＢコネクタ、ＬＡＮコネクタ、またはデータの送受信が可能な他のインターフェースなどを備える。紙葉類処理装置１００は、入出力部９０に接続される外部機器、または記憶媒体からデータを取得することができる。また、紙葉類処理装置１００は、入出力部９０に接続される外部機器、または記憶媒体に処理結果を伝送することもできる。
【００３１】
図２は、画像読取部（画像読取装置）２０の例を示す。また、図３は、画像読取部２０が備えるラインイメージセンサ２４の例を示す。  
画像読取部２０は、照明２１、カメラ２２、信号処理部３０、及び判定部３１を備える。画像読取部２０は、搬送系１２により図２に示す矢印Ａの方向に搬送されている紙葉類１から画像を読み取る。また、画像読取部２０は、照明２１、カメラ２２、信号処理部３０、及び判定部３１の動作を制御する制御部（図示せず）をさらに具備する。
【００３２】
照明２１は、搬送系１２により搬送されている紙葉類１に対して光を照射する。照明２１は、少なくともカメラ２２の読取範囲より広い照射範囲に対して光を照射する。
【００３３】
照明２１は、光源と、光学系とを備える。光源は、光を射出する素子である。例えば、光源は、ＬＥＤ、有機ＥＬ、冷陰極管、ハロゲン光源、蛍光灯、または他の発光素子を備える。光学系は、光源から放射された光を集光及び導光し、カメラ２２の読取範囲に照射させる。
【００３４】
カメラ２２の読取範囲に紙葉類１が存在する場合、照明２１の光は、紙葉類１に照射する。紙葉類１に照射された光の一部は、紙葉類１の表面で反射する。また、紙葉類１に照射された光の一部は、紙葉類１を透過する。
【００３５】
カメラ２２は、ＣＣＤ、またはＣＭＯＳなどのフォトダイオード２４１がライン状に配列されたフォトダイオードアレイ（ラインイメージセンサ）２４、このラインイメージセンサに光を結像させる例えばレンズなどの光学系２３、及びレジスタ２４３などを備える。
【００３６】
なお、カメラ２２は、複数のセンサにより同軸で入射した光を撮像する機能を有する。この為に、カメラ２２は、複数のラインイメージセンサ２４と、複数のレジスタ２４３と、を備える。また、光学系２３は、１つの光軸で入射した光を分光し、複数のラインイメージセンサに結像させることができる。
【００３７】
ラインイメージセンサ２４の各フォトダイオード２４１は、入射した光に応じて電荷を蓄積する。各フォトダイオード２４１は、ラインイメージセンサ２４の各フォトダイオード２４１は、制御部の制御に応じて、電荷に応じたアナログの電圧レベルをレジスタ２４３に出力する。
【００３８】
レジスタ２４３は、ラインイメージセンサ２４の各フォトダイオード２４１に蓄積された電荷に応じた値を一時的に蓄積することができる。レジスタ２４３は、制御部の制御に基づいて、電荷に応じた信号（検出信号）を信号処理部３０に供給する。即ち、レジスタ２４３は、画素単位の電荷に応じた電圧レベル（検出信号）をシリアルに出力する。これにより、レジスタ２４３は、１ライン分の検出信号を信号処理部３０に供給することができる。
【００３９】
信号処理部３０は、受け取った検出信号をアナログディジタル変換する。これにより、信号処理部３０は、１ライン分の画像を生成することができる。信号処理部３０は、連続して上記の処理を行うことにより、複数ラインの画像を生成することができる。信号処理部３０は、複数ラインの画像を合成することにより、紙葉類１の全体の画像を生成する。これにより、画像読取部２０は、紙葉類１の透過画像を取得することが出来る。
【００４０】
判定部３１は、信号処理部３０により生成された透過画像から、任意の検査エリアの明るさを計測する。また、判定部３１は、信号処理部３０により生成された透過画像の模様を計測する。判定部３１は、計測結果と、予め設定されたパラメータとに基づいて、紙葉類１を識別する。即ち、判定部３１は、紙葉類１の真偽、カテゴリ、及び正損などを識別する。なお、画像読取部２０が判定部３１を備えるのではなく、図１に示した制御部４０が判定部３１の機能を備える構成であってもよい。
【００４１】
なお、ラインイメージセンサ２４のフォトダイオード２４１は、光が入射しない状態であっても、わずかに信号出力（暗示出力）がある。この為、カメラ２２は、クランプ回路２６をさらに備える。クランプ回路２６は、各フォトダイオード２４１の検出信号から、暗示出力を差し引く処理を行う。これにより、カメラ２２は、正確な明るさレベルを検出することができる。
【００４２】
この為に、ラインイメージセンサ２４は、紙葉類１の画像の撮像に用いられる有効画素の範囲外に設けられたシールド２４２を備える。シールド２４２は、フォトダイオード２４１に入射する光を遮断する。これにより、ラインイメージセンサ２４の端部に、光が入射しない補正用画素が形成される。クランプ回路２６は、フォトダイオード２４１の有効画素の検出信号から、補正用画素の検出信号を差し引く補正処理を行う。これにより、カメラ２２は、正確な明るさレベルを検出することができる。信号処理部３０は、上記の補正処理が行われた信号に基づいて画像を生成する。
【００４３】
図４は、カメラ２２の光学系２３とラインイメージセンサ２４との構成例を示す。  
なお、本例では、カメラ２２は、赤（Ｒ）、緑（Ｇ）、及び青（Ｂ）の３色をそれぞれ検出する複数のラインイメージセンサ２４を備える。即ち、カメラ２２は、赤色を検出してＲ信号を生成するラインイメージセンサ２４ａ、緑色を検出してＧ信号を生成するラインイメージセンサ２４ｂ、及び青色を検出してＢ信号を生成するラインイメージセンサ２４ｃを備える。
【００４４】
また、光学系２３は、１つの光軸で入射した光を赤、緑、及び青の３色に分光する複数のプリズム（分光部材）２３ａ乃至２３ｃを有する。プリズム２３ａは、入射した光から赤色の光を分光し、分光した光をラインイメージセンサ２４ａに結像させる。プリズム２３ｂは、入射した光から緑色の光を分光し、分光した光をラインイメージセンサ２４ｂに結像させる。プリズム２３ｃは、入射した光から青色の光を分光し、分光した光をラインイメージセンサ２４ｃに結像させる。即ち、プリズム２３ａ乃至２３ｃは、入射した光を異なる波長を有する複数の光に分光する。
【００４５】
上記したように、光学系２３は、１つの光軸で入射した光を赤、緑、及び青の光に分光し、複数のラインイメージセンサ２４に結像させる。これにより、光学系２３は、各ラインイメージセンサ２４の各フォトダイオード２４１に入射する光の光量を抑えることができる。例えば、光学系２３に入射した光が、赤と緑と青とでそれぞれ等しい光量を持つ光である場合、光学系２３は、各ラインイメージセンサ２４の各フォトダイオード２４１に入射する光の光量をそれぞれ１／３に抑えることができる。
【００４６】
図５は、カメラ２２の信号処理の例を示す。  
図４及び図５に示されるように、カメラ２２は、ラインイメージセンサ２４ａ乃至２４ｃと、各ラインイメージセンサに対応したレジスタとを備える。また、カメラ２２は、増幅器２５、クランプ回路２６、サンプルホールド２７、及びアナログ加算回路２８を備える。
【００４７】
なお、増幅器２５、クランプ回路２６、及びサンプルホールド２７は、複数のラインイメージセンサにそれぞれ対応するように設けられている。即ち、ラインイメージセンサ２４ａの後段には、増幅器２５ａ、クランプ回路２６ａ、及びサンプルホールド２７ａが設けられている。また、ラインイメージセンサ２４ｂの後段には、増幅器２５ｂ、クランプ回路２６ｂ、及びサンプルホールド２７ｂが設けられている。また、ラインイメージセンサ２４ｃの後段には、増幅器２５ｃ、クランプ回路２６ｃ、及びサンプルホールド２７ｃが設けられている。
【００４８】
なお、Ｒ信号、Ｂ信号、及びＧ信号に対する処理は同じである為、ここでは、Ｒ信号に関する処理について説明する。
【００４９】
ラインイメージセンサ２４ａは、上記したように、受光した光に応じたＲ信号を生成する。ラインイメージセンサ２４ａは、生成したＲ信号を増幅器２５ａに出力する。増幅器２５ａは、カメラ２２の設定に応じた増幅率でＲ信号を増幅する。増幅器２５ａは、増幅したＲ信号をクランプ回路２６ａに供給する。
【００５０】
クランプ回路２６ａは、ラインイメージセンサ２４ａの有効画素により検出されたＲ信号から、補正用画素により検出されたＲ信号に対応する値を差し引く補正処理を行う。クランプ回路２６ａは、補正したＲ信号をサンプルホールド２７ａに供給する。
【００５１】
サンプルホールド２７ａは、Ｒ信号から最終的なセンサの出力信号を取得する。サンプルホールド２７ａは、最終的なＲ信号をアナログ加算回路２８に供給する。また、同様に、サンプルホールド２７ｂ及びサンプルホールド２７ｃは、最終的なＧ信号及びＢ信号をアナログ加算回路２８に供給する。
【００５２】
アナログ加算回路２８は、各信号を加算し、最終出力信号を生成する。即ち、アナログ加算回路２８は、Ｒ信号、Ｇ信号、及びＢ信号を加算し、最終出力信号を生成する。アナログ加算回路２８は、生成した最終出力信号を信号処理部３０に供給する。
【００５３】
信号処理部３０は、受け取った最終出力信号をアナログディジタル変換する。これにより、信号処理部３０は、紙葉類１の画像を生成することができる。
【００５４】
上記したように、画像読取部２０は、光学系２３により１つの光軸で受光した光を分光し、複数のラインイメージセンサ２４に入射させる。さらに、画像読取部２０は、複数のラインイメージセンサ２４により生成された複数の信号を加算し、加算した信号に基づいて画像を生成する。これにより、画像読取部２０は、１つのラインイメージセンサ２４に入射する光の光量を抑えることができる。
【００５５】
これにより、ラインイメージセンサ２４のフォトダイオード２４１にブルーミングが発生することを防ぐことができる。この結果、より高い精度で画像を読み取る画像読取装置、及び紙葉類処理装置を提供することができる。
【００５６】
なお、上記した実施形態では、画像読取部２０は、プリズム２３ａ乃至プリズム２３ｃにより１つの光軸で受光した光を３色の光に分光する構成であるとして説明したが、この構成に限定されない。画像読取部２０は、さらに多色の光に分光する構成であってもよい。この場合、画像読取部２０のカメラ２２は、１つの光軸で入射した光を各色に分光する光学系２３と、各色に対応した複数のラインイメージセンサ２４を備える。
【００５７】
また、カメラ２２は、ラインイメージセンサではなく、複数のエリアイメージセンサを備える構成であってもよい。この場合、画像読取装置２０は、搬送されていない静止した状態の紙葉類１から画像を取得することができる。カメラ２２は、１つの光軸で受光した光を複数の光に分光する。さらに、複数のエリアイメージセンサは、分光された複数の光に応じてそれぞれ信号を生成する。カメラ２２は、生成された複数の信号を加算することにより、紙葉類１の画像を取得することが出来る。このような構成であっても、エリアイメージセンサの１つのフォトダイオードに入射する光の光量を抑えることができる。
【００５８】
また、画像読取部２０は、色毎に重み付けをする構成であってもよい。この場合、カメラ２２は、図６に示されるように、各色毎にゲイン値を設定するためのゲイン制御部２９と、メモリ２９ａ乃至２９ｃとを備える。即ち、増幅器２５ａには、メモリ２９ａが接続されている。また、増幅器２５ｂには、メモリ２９ｂが接続されている。また、増幅器２５ｃには、メモリ２９ｃが接続されている。
【００５９】
ゲイン制御部２９は、制御部４０による制御、または操作入力に応じて、各色毎にゲイン値を生成する。ゲイン制御部２９は、生成したゲイン値をメモリ２９ａ乃至２９ｃのいずれかに供給する。メモリ２９ａ乃至２９ｃは、ゲイン制御部２９から供給されたゲイン値を記憶する。
【００６０】
増幅器２５ａ乃至増幅器２５ｃは、各メモリ２９ａ乃至２９ｃに記憶されているゲイン値に応じた増幅率で、ラインイメージセンサ２４から供給された信号を増幅する。これにより、特定の色を判定部３１による判定処理で重視させることができる。
【００６１】
また、画像読取部２０は、ハーフミラーなどにより１つの光軸で受光した光を複数の光に分光する構成であってもよい。この場合、カメラ２２は、図７に示されるように、複数のハーフミラー２３ｄ、２３ｅ、及び２３ｆと、４つのラインイメージセンサ２４ｄ乃至２４ｇとを備える。
【００６２】
ハーフミラー２３ｄ乃至２３ｆは、光を所定の比率で分光する分光部材である。例えば、ハーフミラー２３ｄは、１つの光軸で受光した光を１／２ずつ分光する。これにより、ハーフミラー２３ｄに入射した光の１／２の光量の光がハーフミラー２３ｄにより反射される。また、ハーフミラー２３ｄに入射した光の１／２の光量の光がハーフミラー２３ｄを透過する。
【００６３】
ハーフミラー２３ｅは、ハーフミラー２３ｄにより反射された光を１／２ずつ分光する。これにより、ハーフミラー２３ｅに入射した光の１／２の光量の光がハーフミラー２３ｅを透過する。ハーフミラー２３ｅを透過した光は、ラインイメージセンサ２４ｄに入射する。また、ハーフミラー２３ｅに入射した光の１／２の光量の光がハーフミラー２３ｄにより反射される。ハーフミラー２３ｅにより反射された光は、ラインイメージセンサ２４ｅに入射する。
【００６４】
また、ハーフミラー２３ｆは、ハーフミラー２３ｄを透過した光を１／２ずつ分光する。これにより、ハーフミラー２３ｆに入射した光の１／２の光量の光がハーフミラー２３ｅにより反射される。ハーフミラー２３ｆにより反射された光は、ラインイメージセンサ２４ｆに入射する。また、ハーフミラー２３ｆに入射した光の１／２の光量の光がハーフミラー２３ｆを透過する。ハーフミラー２３ｆを透過した光は、ラインイメージセンサ２４ｇに入射する。
【００６５】
即ち、４つのラインイメージセンサ２４ｄ乃至２４ｇは、ハーフミラー２３ｄに入射した光の１／４の光量の光を受光する。このような構成によっても、画像読取部２０は、１つのラインイメージセンサ２４に入射する光の光量を抑えることができる。これにより、ラインイメージセンサ２４のフォトダイオード２４１にブルーミングが発生することを防ぐことができる。この結果、より高い精度で画像を読み取る画像読取装置、及び紙葉類処理装置を提供することができる。
【００６６】
なお、上記した実施形態では、各ハーフミラーは、光を１／２ずつに分光する構成であるとしたが、この構成に限定されない。ハーフミラーは、如何なる比率で光を分光する構成であってもよい。また、光を分光する手段は、ハーフミラーに限定されない。分光手段は、光の光量を分ける構成であれば、如何なる構成であってもよい。
【００６７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００６８】
１０…供給部、１１…分離ローラ、１２…搬送系、１３…第１のゲート、１４…第１のスタッカ、１５…第２のゲート、１６…第２のスタッカ、２０…画像読取部、２１…照明、２２…カメラ、２３…光学系、２３ａ…プリズム、２３ｂ…プリズム、２３ｃ…プリズム、２３ｄ…ハーフミラー、２３ｅ…ハーフミラー、２３ｆ…ハーフミラー、２４…ラインイメージセンサ、２５…増幅器、２６…クランプ回路、２７…サンプルホールド、２８…アナログ加算回路、２９…ゲイン制御部、２９ａ…メモリ、２９ｂ…メモリ、２９ｃ…メモリ、３０…信号処理部、３１…判定部、４０…制御部、５０…バッファメモリ、６０…辞書記憶部、７０…操作部、８０…表示部、９０…入出力部、１００…紙葉類処理装置、２４１…フォトダイオード、２４２…シールド、２４３…レジスタ。
【図１】
2013197689.tif 000003
【図２】
2013197689.tif 000004
【図３】
2013197689.tif 000005
【図４】
2013197689.tif 000006
【図５】
2013197689.tif 000007
【図６】
2013197689.tif 000008
【図７】
2013197689.tif 000009